(57)【要約】【課題】簡易な構造でフィルタの清掃を可能とし、かつフィルタの清掃によって発生した塵埃を、集塵容器に蓄積された塵埃とともに容易に廃棄可能な電気掃除機を提案する。【解決手段】電気掃除機１の塵埃分離集塵部２２は、有底円筒状の集塵容器３６と、一次フィルタ部であるネットフィルタ部３７と、二次フィルタ部であるプリーツフィルタ部３８とを備える。ネットフィルタ部３７は、ネットフィルタ５１と、ネットフィルタ５１のろ過面６６を回動可能な粗塵清掃体５２と、ネットフィルタ５１のプリーツフィルタ部３８側の面を回動可能な細塵清掃体５３とを備える。プリーツフィルタ部３８は、プリーツフィルタ７１（二次フィルタ）と、プリーツフィルタ７１の除塵機構７２とを備える。粗塵清掃体５２と、細塵清掃体５３と、除塵機構７２とは一体的に回動される。【選択図】  図２
2010046207.tif 000002
【特許請求の範囲】
【請求項１】
有底円筒状の集塵容器と、
前記集塵容器に嵌め込まれた一次フィルタ部と、
前記一次フィルタ部に嵌め込まれた二次フィルタ部とを備え、
前記一次フィルタ部は、
連通口を有する一次フィルタ枠体部と、
前記一次フィルタ枠体部の底板に設けられた一次フィルタと、
前記一次フィルタの前記集塵容器側に回動自在に設けられた粗塵清掃体と、
前記一次フィルタの前記二次フィルタ部側に設けられ、前記粗塵清掃体と一体的に回動可能な細塵清掃体とを備え、
前記二次フィルタ部は、
前記一次フィルタの上方に配置された二次フィルタと、
前記粗塵清掃体および前記細塵清掃体に連結されて一体的に回動可能に設けられた前記二次フィルタの除塵機構とを備えたことを特徴とする電気掃除機。
【請求項２】
前記連通口は、前記一次フィルタの幅に亘って形成され、
前記粗塵清掃体は、前記連通口を開閉自在に塞ぐことを特徴とする請求項１に記載の電気掃除機。
【請求項３】
前記粗塵清掃体と、前記細塵清掃体とは、その回動軸を中心に角度差を付けて離間されたことを特徴とする請求項１または２に記載の電気掃除機。
【請求項４】
前記細塵清掃体は、その自由端部に二次フィルタのろ過面側に突設された除塵子を備えたことを特徴とする請求項１から３のいずれか１項に記載の電気掃除機。
【発明の詳細な説明】
【技術分野】
【０００１】
本発明は、清掃体を有するフィルタ部を備えた電気掃除機に関する。
【背景技術】
【０００２】
特許文献１に記載の電気掃除機は、下ケースと、下ケース内に設けられた塵埃分離集塵部と、下ケースの上方に分離可能に載置された上ケースと、上ケースに収容された電動送風機とを有する掃除本体を備える。塵埃分離集塵部は、含塵空気から塵埃を分離させるフィルタと、フィルタに分離された塵埃が蓄積される集塵容器とを備える。
【特許文献１】特開２００３−２１９９９７号公報
【発明の開示】
【発明が解決しようとする課題】
【０００３】
特許文献１に記載の電気掃除機は、塵埃分離集塵部に塵埃が蓄積されると、先ず、下ケースから上ケースが取り外され、下ケースから塵埃分離集塵部が取り出される。次に、塵埃分離部からフィルタが外されて、集塵容器に蓄積された塵埃が廃棄される。このとき、フィルタには細塵が捕集されており、フィルタを清掃する必要があった。
【０００４】
本発明は、簡易な構造でフィルタの清掃を可能とし、かつフィルタの清掃によって発生した塵埃を、集塵容器に蓄積された塵埃とともに容易に廃棄可能な電気掃除機を提案する。
【課題を解決するための手段】
【０００５】
前記の課題を解決するため本発明では、有底円筒状の集塵容器と、前記集塵容器に嵌め込まれた一次フィルタ部と、前記一次フィルタ部に嵌め込まれた二次フィルタ部とを備え、前記一次フィルタ部は、連通口を有する一次フィルタ枠体部と、前記一次フィルタ枠体部の底板に設けられた一次フィルタと、前記一次フィルタの前記集塵容器側に回動自在に設けられた粗塵清掃体と、前記一次フィルタの前記二次フィルタ部側に設けられ、前記粗塵清掃体と一体的に回動可能な細塵清掃体とを備え、前記二次フィルタ部は、前記一次フィルタの上方に配置された二次フィルタと、前記粗塵清掃体および前記細塵清掃体に連結されて一体的に回動可能に設けられた前記二次フィルタの除塵機構とを備えたことを特徴とする。
【発明の効果】
【０００６】
本発明は、簡易な構造でフィルタの清掃を可能とし、かつフィルタの清掃によって発生した塵埃を、集塵容器に蓄積された塵埃とともに容易に廃棄可能な電気掃除機を提案できる。
【発明を実施するための最良の形態】
【０００７】
本発明に係る電気掃除機の実施形態について、図１から図５を参照して説明する。
【０００８】
図１は、本発明に係る電気掃除機の外観を示した斜視図である。
【０００９】
図１に示すように、本実施形態に係る電気掃除機１は、掃除機本体２と、集塵ホース３と、延長管４と、吸込口体５とを備える。
【００１０】
掃除機本体２は、下ケース１１（第１ケース）と、下ケース１１の上方に分離可能に載置された上ケース１２（第２ケース）とを備える。掃除機本体２には、接続口２ａが形成される。接続口２ａには集塵ホース３の一端が着脱自在に接続される。
【００１１】
下ケース１１の下部には、角丸方形状の底板部１３が形成される。底板部１３には、その下面のそれぞれのコーナ部の近傍にキャスタ１４が設けられる。キャスタ１４は、被掃除面である床面上に掃除機本体２を走行可能に支持する。下ケース１１の側面上部には、クランプ装置１５が設けられる。クランプ装置１５は、上ケース１２を下ケース１１に着脱自在に保持する。
【００１２】
上ケース１２の下部には、フランジ部１６が形成される。フランジ部１６は、下ケース１１の上部を覆う。フランジ部１６には、接続口２ａが形成される。上ケース１２の上面には操作部１７が設けられる。操作部１７は電気掃除機１の運転を停止させる切スイッチ１７ａや電気掃除機１の運転を開始させる起動スイッチ１７ｂなどを有する。上ケース１２の側面部には、本体排気口１８が形成される。
【００１３】
集塵ホース３は可撓性を有し、湾曲可能な細長略円筒状に形成される。集塵ホース３の一端は接続口２ａに着脱可能に接続されて、掃除機本体２の内部に連通される。
【００１４】
延長管４は、伸縮可能な細長略円筒状に形成される。延長管４の一端は集塵ホース３の他端に着脱可能に接続されて、集塵ホース３を介して掃除機本体２の内部に連通される。
【００１５】
吸込口体５は、延長管４の一端に着脱可能に接続されて、延長管４および集塵ホース３を介して掃除機本体２の内部に連通される。
【００１６】
図２は、本発明に係る電気掃除機の掃除機本体を示した断面図である。
【００１７】
図３は、本発明に係る電気掃除機の塵埃分離集塵部を示した断面図である。
【００１８】
図４は、本発明に係る電気掃除機の塵埃分離集塵部を分解して示した斜視図である。
【００１９】
図２から図４に示すように、電気掃除機１の掃除機本体２が備えた下ケース１１は、有底円筒状に形成される。下ケース１１は、その上方に開口２１を有し、塵埃分離集塵部２２が収容された塵埃分離集塵部収容部２３が形成される。塵埃分離集塵部収容部２３の下方には、バッテリ収容室（図示省略）が形成される。バッテリ収容室には二次電池であるバッテリが収容される。
【００２０】
他方、上ケース１２は、下ケース１１の開口２１を気密に覆うフランジ部１６と、フランジ部１６の上方に一体に形成された筒体部２５と、筒体部２５の上端開口２６を覆う蓋体部２７とから構成される。
【００２１】
フランジ部１６には、接続口２ａが形成される。接続口２ａに接続された集塵ホース３は、下ケース１１の内部に連通される。
【００２２】
筒体部２５には、電動送風機２８が収容される。筒体部２５の内部には、電動送風機２８が保持された電動送風機保持フランジ３０が設けられる。電動送風機保持フランジ３０には、環状に形成され、電動送風機２８の吸込口と吐出口とを気密に区画するとともに、電動送風機２８を弾性支持する電動送風機保持体３１が設けられる。筒体部２５の側板３３には、電動送風機２８から吐出された空気を掃除機本体２の外部に排気する本体排気口１８が設けられる。
【００２３】
電気掃除機１を運転すると、電動送風機２８が作動して、掃除機本体２の内に負圧が作用する。この負圧は接続口２ａから集塵ホース３と延長管４とを経て吸込口体５に作用する。そうすると、電気掃除機１は吸込口体５から空気とともに床などの被掃除面に溜まった塵埃を吸い込んで被掃除面を掃除する。吸込口体５に吸い込まれた含塵空気は、掃除機本体２に収容された塵埃分離集塵部２２によって空気と塵埃とに分離される。分離された塵埃は塵埃分離集塵部２２に集塵される。他方、分離された空気は、電動送風機２８に吸い込まれて、掃除機本体２の本体排気口１８から吐出される。
【００２４】
塵埃分離集塵部２２は、有底円筒状の集塵容器３６と、一次フィルタ部であるネットフィルタ部３７と、二次フィルタ部であるプリーツフィルタ部３８とから構成される。
【００２５】
集塵容器３６と、ネットフィルタ部３７とは、有底円筒状に形成される。プリーツフィルタ部３８は、略円盤状に形成される。集塵容器３６には、ネットフィルタ部３７が着脱自在に嵌め込まれる。ネットフィルタ部３７には、プリーツフィルタ部３８が着脱自在に嵌め込まれる。集塵容器３６の底板４１と、ネットフィルタ部３７の底板４２との間は離間される。集塵容器３６の底板４１と、ネットフィルタ部３７の底板４２との間には、集塵室４３が形成される。ネットフィルタ部３７の底板４２と、プリーツフィルタ部３８との間は離間される。ネットフィルタ部３７の底板４２と、プリーツフィルタ部３８との間には、フィルタ収容室４４が形成される。
【００２６】
集塵容器３６は、遠心分離方式で含塵空気から粗塵を分離する分離室でもある。集塵容器３６は、筒状の側板４６と、底板４１とを有する。底板４１には、凹部４７が形成される。凹部４７は、底板４１のうち、側板４６との際に偏倚させて配置される。凹部４７は、側板４６との際に沿って、底板４１の周方向に所定の長さに形成される。
【００２７】
ネットフィルタ部３７は、ネットフィルタ枠体部５０と、ネットフィルタ５１（一次フィルタ）と、粗塵清掃体５２と、細塵清掃体５３とを備える。
【００２８】
ネットフィルタ枠体部５０は、円板状の底板４２と、筒状の側板５５とを有する。底板４２には、上ケース１２の接続口２ａに連通された連通路５６を有する連通管５７が形成される。連通管５７は、接続口２ａに対応させて、底板４２のうち、側板５５との際に偏倚させて配置される。
【００２９】
底板４２は、その中央部に開口５８を有する。開口５８は、底板４２のうち、連通管５７が形成された外周部よりも内側に配置される。開口５８は、ネットフィルタ５１が設けられて閉塞される。開口５８は、底板４２の中心から放射状および環状に配置された複数の骨部６０で区画された開口の集合である。骨部６０は、集塵室４３とフィルタ収容室４４とを連通させる連通口６１を有する。連通口６１は、ネットフィルタ５１の径方向の幅に亘って、底板４２の径方向にスリット状に形成される。底板４２の中心部には、骨部６０で支持された清掃体保持部６２が形成される。清掃体保持部６２には、清掃体保持軸６３が回動自在に軸支される。
【００３０】
底板４２の集塵室４３側には、連通管５７に連通された偏向吐出管部６４が設けられる。偏向吐出管部６４は、連通管５７から案内された含塵空気を集塵容器３６の側板４６の内周面に向けて偏向させるドーム部６５が形成される。
【００３１】
ネットフィルタ５１は、一次フィルタであり、集塵室４３で含塵空気から分離された粗塵を集塵室４３内に確実に捕集する。ネットフィルタ５１は、集塵容器３６の底板４１に対向させて、かつ底板４１の上方に配置される。
【００３２】
粗塵清掃体５２は、ネットフィルタ５１の集塵容器３６側の面、すなわちろ過面６６の側に配置される。粗塵清掃体５２は、ネットフィルタ５１の略半径に亘って設けられる。粗塵清掃体５２は、ネットフィルタ枠体部５０の清掃体保持軸６３に片持ちばり状に保持される。粗塵清掃体５２は、ネットフィルタ枠体部５０の清掃体保持部６２を中心にネットフィルタ５１のろ過面６６に沿って回動できる。粗塵清掃体５２は、毛ブラシ６７を備える。粗塵清掃体５２を回動させると、ネットフィルタ５１のろ過面６６に付着した粗塵は、毛ブラシ６７に掃き取られる。粗塵清掃体５２は、ネットフィルタ枠体部５０の連通口６１に対応させて形成され、連通口６１の蓋として用いられる。粗塵清掃体５２は、清掃体保持軸６３に設けられたコイルバネ等の押圧機構（図示省略）でネットフィルタ５１のろ過面６６の側に所望の力で押圧される。粗塵清掃体５２が連通口６１の位置に回動されると、粗塵清掃体５２は、連通口６１を開閉自在に閉塞させる。他方、粗塵清掃体５２がネットフィルタ５１の位置に回動されると、粗塵清掃体５２は、毛ブラシ６７をネットフィルタ５１のろ過面６６に押圧させる。
【００３３】
細塵清掃体５３は、ネットフィルタ５１のプリーツフィルタ部３８側の面に配置される。細塵清掃体５３は、ネットフィルタ５１の略半径に亘って設けられる。すなわち、細塵清掃体５３は、粗塵清掃体５２と略同じ長さに構成される。細塵清掃体５３は、ネットフィルタ枠体部５０の清掃体保持軸６３に片持ちばり状に保持される。細塵清掃体５３は、ネットフィルタ枠体部５０の清掃体保持部６２を中心にネットフィルタ５１のプリーツフィルタ部３８側の面に沿って回動できる。細塵清掃体５３と、粗塵清掃体５２とは、清掃体保持軸６３を介して一体的に回動される。細塵清掃体５３と、粗塵清掃体５２とは、平面視において清掃体保持軸６３を中心に０°より大きい角度差を付けて離間される。この角度差は、ネットフィルタ枠体部５０の連通口６１が粗塵清掃体５２で閉塞されたときに、細塵清掃体５３が連通口６１から離間されて配置されるように決められる。
【００３４】
また、細塵清掃体５３は、毛ブラシ６８を備える。細塵清掃体５３を回動させると、フィルタ収容室４４側の面は、毛ブラシ６８に掃かれる。細塵清掃体５３は、ネットフィルタ枠体部５０の連通口６１に対応させて形成される。細塵清掃体５３は、清掃体保持軸６３に設けられたコイルバネ等の押圧機構（図示省略）でネットフィルタ５１のフィルタ収容室４４側の面に所望の力で押圧される。
【００３５】
さらに、細塵清掃体５３は、プリーツフィルタ部３８に向かって突設された除塵子６９（第１の除塵子）を備える。
【００３６】
プリーツフィルタ部３８は、プリーツフィルタ枠体部７０と、プリーツフィルタ７１（二次フィルタ）と、プリーツフィルタ７１の除塵機構７２とを備える。
【００３７】
プリーツフィルタ枠体部７０は、円盤状に形成される。プリーツフィルタ枠体部７０は、ネットフィルタ部３７の連通管５７が挿通された挿通孔７４を有する。プリーツフィルタ枠体部７０は、その中央部に開口７５を有する。開口７５は、プリーツフィルタ枠体部７０のうち、挿通孔７４が形成された外周部よりも内側に配置される。開口７５は、プリーツフィルタ７１が設けられて閉塞される。
【００３８】
プリーツフィルタ７１は、二次フィルタであり、ネットフィルタ５１を通過した細塵を含んだ空気から細塵をろ過分離する。プリーツフィルタ７１は、ネットフィルタ部３７のネットフィルタ５１に対向させて、かつネットフィルタ５１の上方に配置される。プリーツフィルタ７１のネットフィルタ５１に対する投影面積は、開口５８の開口面積よりも小さく形成される。プリーツフィルタ７１および開口７５は、略方形状に形成される。プリーツフィルタ７１の中央部には、除塵機構保持部７６が形成される。除塵機構保持部７６には、除塵機構保持軸７７が回動可能に軸支される。除塵機構保持軸７７は、ネットフィルタ部３７の清掃体保持軸６３の回転軸線上に配置される。除塵機構保持軸７７と、清掃体保持軸６３とは、連結される。
【００３９】
除塵機構７２は、プリーツフィルタ７１の電動送風機２８側の面に配置される。除塵機構７２は、プリーツフィルタ７１の全幅よりも若干短い腕部７９と、腕部７９に設けられた除塵子８０（第２の除塵子）と、腕部７９に設けられたハンドル部８２とから構成される。
【００４０】
腕部７９は、その中央部で除塵機構保持軸７７に保持される。腕部７９は、プリーツフィルタ７１の除塵機構保持部７６を中心に回動できる。
【００４１】
除塵子８０は、腕部７９の自由端に設けられ、プリーツフィルタ７１の電動送風機２８側の面に当接される。除塵機構７２が回動されると、プリーツフィルタ７１の電動送風機２８側の面に存する山部は、腕部７９に設けられた除塵子８０で順次に弾かれる。プリーツフィルタ７１は、除塵子８０で弾かれると、そのろ過面８１に捕集された細塵が剥離される。
【００４２】
ハンドル部８２は、腕部７９のうち、少なくとも一方の自由端に設けられる。ハンドル部８２は、除塵機構７２と、ネットフィルタ部３７の粗塵清掃体５２および細塵清掃体５３との操作用ハンドルである。ハンドル部８２が操作されると、除塵機構７２は除塵機構保持軸７７の回りに、粗塵清掃体５２および細塵清掃体５３は清掃体保持軸６３の回りに回動される。
【００４３】
ここで、ネットフィルタ部３７の細塵清掃体５３に設けられた除塵子６９は、細塵清掃体５３の自由端に設けられ、プリーツフィルタ７１のネットフィルタ部３７側の面、すなわちろ過面８１の側に突設される。細塵清掃体５３が回動されると、プリーツフィルタ７１のろ過面８１に存する山部は、除塵子６９で順次に弾かれる。プリーツフィルタ７１は、除塵子６９で弾かれると、そのろ過面８１に捕集された細塵が剥離される。
【００４４】
図５は、本発明に係る電気掃除機のプリーツフィルタ部を部分的に示した断面図である。
【００４５】
図５に示すように、ネットフィルタ部３７の粗塵清掃体５２は、ネットフィルタ５１のろ過面６６を清掃する毛ブラシ６７と、ネットフィルタ枠体部５０の連通口６１を封止させるシールパッキン８３とを備える。
【００４６】
粗塵清掃体５２は、電動送風機２８が作動して、集塵容器３６と、ネットフィルタ部３７との間に形成された集塵室４３に負圧が作用すると、シールパッキン８３が連通口６１に押圧される。したがって、集塵室４３に捕集された粗塵がフィルタ収容室４４側に流入することはない。
【００４７】
次に、本実施形態に係る電気掃除機１の掃除動作を説明する。
【００４８】
電気掃除機１の使用者は、先ず、掃除機本体２の接続口２ａに集塵ホース３を接続する。次に、集塵ホース３に延長管４を接続する。さらに、延長管４に吸込口体５を接続する。
【００４９】
次に、電気掃除機１の使用者は、掃除機本体２のバッテリ収容室に、充電済みのバッテリを装着する。
【００５０】
次に、電気掃除機１の使用者は、吸込口体５を床面などの被掃除面上に配置するとともに、掃除機本体２の操作部１７の起動スイッチ１７ｂを操作する。
【００５１】
そうすると、起動スイッチ１７ｂで設定された動作モードに応じて電動送風機２８が作動する。電動送風機２８が作動すると、塵埃分離集塵部２２を経て接続口２ａに負圧が作用する。
【００５２】
掃除機本体２の接続口２ａに作用した負圧は、接続口２ａから集塵ホース３と延長管４とを経て吸込口体５に作用する。
【００５３】
次いで、電気掃除機１の使用者は、前進および後退を交互に繰り返して吸込口体５を走行する。そうすると、吸込口体５は、被掃除面から空気とともに塵埃を吸い込む。
【００５４】
吸込口体５に吸い込まれた含塵空気は、延長管４と集塵ホース３とを順次に通過した後、掃除機本体２の接続口２ａに案内される。
【００５５】
掃除機本体２の接続口２ａに案内された含塵空気は、掃除機本体２の内部に収容された塵埃分離集塵部２２に吸い込まれる。塵埃分離集塵部２２に案内された含塵空気は、ネットフィルタ部３７の連通管５７の連通路５６を経て集塵室４３に案内される。このとき、含塵空気は、集塵室４３に突出された偏向吐出管部６４によって集塵容器３６に旋回流を生じさせる。集塵室４３に案内された含塵空気は、この旋回流によって粗塵と、細塵を含んだ空気とに分離される。含塵空気から分離された粗塵は、もっぱら集塵室４３に捕集される。粗塵の一部は、ネットフィルタ５１のろ過面６６に捕集される。
【００５６】
他方、細塵を含む空気はネットフィルタ５１を通過する。ネットフィルタ５１を通過した細塵を含む空気は、プリーツフィルタ７１によって細塵と、空気とにろ過分離される。細塵は、プリーツフィルタ７１のろ過面８１に捕集される。他方、空気は、プリーツフィルタ７１を通過して、電動送風機２８に吸い込まれて排気風となり、本体排気口１８から掃除機本体２の外部に排気される。
【００５７】
電気掃除機１の使用者は、掃除が終了すると、掃除機本体２の操作部１７の切スイッチ１７ａを操作して電動送風機２８の運転を終了し、電気掃除機１を停止する。
【００５８】
電気掃除機１の使用者は、集塵室４３に蓄積された塵埃を廃棄する場合には、先ず、集塵ホース３を掃除機本体２の接続口２ａから取り外す。次に、電気掃除機１の使用者は、下ケース１１のクランプ装置１５の拘束を解除して、下ケース１１から上ケース１２を取り外す。
【００５９】
次に、電気掃除機１の使用者は、塵埃分離集塵部２２の上部に露出したプリーツフィルタ部３８のハンドル部８２を操作する。具体的には、電気掃除機１の使用者は、ハンドル部８２を把持して、プリーツフィルタ７１の除塵機構保持部７６を中心に、ハンドル部８２を旋回させる。
【００６０】
ハンドル部８２の旋回に伴って除塵機構７２が回動され、除塵機構７２の除塵子８０が順次にプリーツフィルタ７１の山部を弾く。プリーツフィルタ７１のろ過面８１に捕集された細塵は、プリーツフィルタ７１のろ過面８１から剥離されて、プリーツフィルタ７１の下方に配置されたネットフィルタ５１のフィルタ収容室４４側の面に受けられる。
【００６１】
除塵機構７２が回動されると、プリーツフィルタ７１の除塵機構保持軸７７が回動される。除塵機構保持軸７７が回動され、除塵機構保持軸７７に連結された清掃体保持軸６３が回動される。清掃体保持軸６３が回動されると、粗塵清掃体５２と、細塵清掃体５３とが回動される。
【００６２】
粗塵清掃体５２は、ネットフィルタ枠体部５０の連通口６１から離脱され、ネットフィルタ５１のろ過面６６に付着した粗塵を順次に掃き取る。他方、細塵清掃体５３が回動されると、除塵子６９は、順次にプリーツフィルタ７１の山部を弾く。プリーツフィルタ７１のろ過面８１に捕集された細塵は、プリーツフィルタ７１のろ過面８１から剥離されて、プリーツフィルタ７１の下方に配置されたネットフィルタ５１のフィルタ収容室４４側の面に受けられる。また、細塵清掃体５３は、プリーツフィルタ７１のろ過面８１から剥離されて、ネットフィルタ５１のフィルタ収容室４４側の面に受けられた細塵を掃き取る。細塵清掃体５３に掃き取られた細塵は、連通口６１から集塵室４３に案内される。
【００６３】
次に、電気掃除機１の使用者は、塵埃分離集塵部２２からプリーツフィルタ部３８と、ネットフィルタ部３７とを順次に取り外し、粗塵および細塵が捕集された集塵容器３６を下ケース１１から取り出して、集塵容器３６からゴミ箱などへ塵埃を廃棄する。
【００６４】
したがって、本実施形態に係る電気掃除機によれば、除塵機構保持軸７７に軸支された除塵機構７２と、清掃体保持軸６３に軸支された粗塵清掃体５２および細塵清掃体５３とで、プリーツフィルタ７１と、ネットフィルタ５１との清掃を可能とし、かつプリーツフィルタ７１およびネットフィルタ５１の清掃によって発生した塵埃を、集塵容器３６に蓄積された粗塵とともに容易に廃棄できる。
【図面の簡単な説明】
【００６５】
【図１】本発明に係る電気掃除機の外観を示した斜視図。
【図２】本発明に係る電気掃除機の掃除機本体を示した断面図。
【図３】本発明に係る電気掃除機の塵埃分離集塵部を示した断面図。
【図４】本発明に係る電気掃除機の塵埃分離集塵部を分解して示した斜視図。
【図５】本発明に係る電気掃除機のプリーツフィルタ部を部分的に示した断面図。
【符号の説明】
【００６６】
１  電気掃除機
２  掃除機本体
２ａ  接続口
３  集塵ホース
４  延長管
５  吸込口体
１１  下ケース
１２  上ケース
１３  底板部
１４  キャスタ
１５  クランプ装置
１６  フランジ部
１７  操作部
１７ａ  切スイッチ
１７ｂ  起動スイッチ
１８  本体排気口
２１  開口
２２  塵埃分離集塵部
２３  塵埃分離集塵部収容部
２５  筒体部
２６  上端開口
２７  蓋体部
２８  電動送風機
３０  電動送風機保持フランジ
３１  電動送風機保持体
３３  側板
３６  集塵容器
３７  ネットフィルタ部
３８  プリーツフィルタ部
４１  底板
４２  底板
４３  集塵室
４４  フィルタ収容室
４６  側板
４７  凹部
５０  ネットフィルタ枠体部
５１  ネットフィルタ
５２  粗塵清掃体
５３  細塵清掃体
５５  側板
５６  連通路
５７  連通管
５８  開口
６０  骨部
６１  連通口
６２  清掃体保持部
６３  清掃体保持軸
６４  偏向吐出管部
６５  ドーム部
６６  ろ過面
６７  毛ブラシ
６８  毛ブラシ
６９  除塵子
７０  プリーツフィルタ枠体部
７１  プリーツフィルタ
７２  除塵機構
７４  挿通孔
７５  開口
７６  除塵機構保持部
７７  除塵機構保持軸
７９  腕部
８０  除塵子
８１  ろ過面
８２  ハンドル部
８３  シールパッキン
【図１】
2010046207.tif 000003
【図２】
2010046207.tif 000004
【図３】
2010046207.tif 000005
【図４】
2010046207.tif 000006
【図５】
2010046207.tif 000007